(57)【要約】【課題】受信したＯＦＤＭ信号のＣ／Ｎ比を向上させる。【解決手段】伝送路特性推定回路２６−１は、伝送信号Ａの伝送路特性を推定し、推定結果を、等化回路２７−１と重み制御回路１２に出力する。伝送路特性推定回路２６−２は、伝送信号Ｂの伝送路特性を推定し、推定結果を、等化回路２７−２と重み制御回路１２に出力する。等化回路２７−１および２７−２は、ＦＦＴ回路２５−１および２５−２の出力をそれぞれ等化し、重み補正回路２８−１および２８−２に出力する。重み制御回路１２は、伝送路特性推定回路２６−１および２６−２から供給された伝送路特性に基づいて、重み補正係数を算出し、重み補正回路２８−１および２８−２に出力する。重み補正回路２８−１および２８−２は、等化回路２７−１および２７−２の出力に、重み補正係数を乗算する。本発明は、ＯＦＤＭ信号を受信する電子機器に適用することができる。【選択図】      図１
2004343587.tif 000002
【特許請求の範囲】
【請求項１】
ＯＦＤＭ信号を受信する受信装置において、
複数のブランチのそれぞれに受信された伝送信号の伝送路特性を前記ブランチ毎に推定する推定手段と、
前記ブランチ毎に、前記ブランチに対応する前記伝送路特性に基づいて、前記ブランチの周波数領域信号を等化する等化手段と、
前記等化手段により前記ブランチ毎に等化された前記周波数領域信号に対して重み補正係数を乗算して、重み補正する補正手段と、
前記補正手段により重み補正された、複数の前記ブランチの前記周波数領域信号を合成する合成手段と
を備えることを特徴とする受信装置。
【請求項２】
前記推定手段により推定された、全ての前記ブランチの前記伝送路特性に基づいて、各ブランチの前記重み補正係数を算出する算出手段をさらに備え、
前記補正手段は、前記算出手段により算出された前記重み補正係数により、重み補正する
ことを特徴とする請求項１に記載の受信装置。
【請求項３】
前記算出手段は、各ブランチの前記伝送路特性の絶対値の自乗を、全ての前記ブランチの前記伝送路特性の絶対値の自乗和で割り算して、前記各ブランチの前記重み補正係数を算出する
ことを特徴とする請求項２に記載の受信装置。
【請求項４】
ＯＦＤＭ信号を受信する受信装置の受信方法において、
複数のブランチのそれぞれに受信された伝送信号の伝送路特性を前記ブランチ毎に推定する推定ステップと、
前記ブランチ毎に、前記ブランチに対応する前記伝送路特性に基づいて、前記ブランチの周波数領域信号を等化する等化ステップと、
前記等化ステップの処理により前記ブランチ毎に等化された前記周波数領域信号に対して重み補正係数を乗算して、重み補正する補正ステップと、
前記補正ステップの処理により重み補正された、複数の前記ブランチの前記周波数領域信号を合成する合成ステップと
を含むことを特徴とする受信方法。
【請求項５】
ＯＦＤＭ信号を受信する受信装置において、
複数のブランチにより受信された伝送信号の伝送路特性を前記ブランチ毎に推定する推定手段と、
前記推定手段により推定された、全ての前記ブランチの前記伝送路特性に基づいて、周波数領域信号を前記ブランチ毎に等化する等化手段と、
前記等化手段により前記ブランチ毎に等化された全ての前記ブランチの前記周波数領域信号を合成する合成手段と
を備えることを特徴とする受信装置。
【請求項６】
前記推定手段により推定された、全ての前記ブランチの前記伝送路特性に基づいて、複素制御値を算出する算出手段をさらに備え、
前記等化手段は、各ブランチの前記周波数領域信号に対して、前記算出手段により算出された前記複素制御値を複素乗算する
ことを特徴とする請求項５に記載の受信装置。
【請求項７】
前記算出手段は、各ブランチの前記伝送路特性の共役複素数を、全ての前記ブランチの前記伝送路特性の絶対値の自乗和で割り算して、前記各ブランチの前記複素制御値を算出する
ことを特徴とする請求項６に記載の受信装置。
【請求項８】
ＯＦＤＭ信号を受信する受信装置の受信方法において、
複数のブランチにより受信された伝送信号の伝送路特性を前記ブランチ毎に推定する推定ステップと、
前記推定ステップの処理により推定された、全ての前記ブランチの前記伝送路特性に基づいて、周波数領域信号を前記ブランチ毎に等化する等化ステップと、
前記等化ステップの処理により前記ブランチ毎に等化された全ての前記ブランチの前記周波数領域信号を合成する合成ステップと
を含むことを特徴とする受信方法。
【請求項９】
ＯＦＤＭ信号を受信する受信装置において、
複数のブランチにより受信された伝送信号の伝送路特性を前記ブランチ毎に推定する推定手段と、
前記ブランチ毎に、前記ブランチに対応する前記伝送路特性に基づいて、前記ブランチの周波数領域信号を等化する等化手段と、
前記等化手段により等化された全ての前記ブランチの前記周波数領域信号を合成する合成手段と、
前記推定手段により推定された、全ての前記ブランチの前記伝送路特性に基づいて、前記合成手段により合成された前記周波数領域信号を正規化する正規化手段と
を備えることを特徴とする受信装置。
【請求項１０】
前記推定手段により推定された全ての前記伝送路特性の絶対値の自乗和の逆数を算出する算出手段をさらに備え、
前記正規化手段は、前記合成手段により合成された前記周波数領域信号に対して、前記算出手段により算出された前記逆数を乗算する
ことを特徴とする請求項９に記載の受信装置。
【請求項１１】
ＯＦＤＭ信号を受信する受信装置の受信方法において、
複数のブランチにより受信された伝送信号の伝送路特性を前記ブランチ毎に推定する推定ステップと、
前記ブランチ毎に、前記ブランチに対応する前記伝送路特性に基づいて、前記ブランチの周波数領域信号を等化する等化ステップと、
前記等化ステップの処理により等化された全ての前記ブランチの前記周波数領域信号を合成する合成ステップと、
前記推定ステップの処理により推定された、全ての前記ブランチの前記伝送路特性に基づいて、前記合成ステップの処理により合成された前記周波数領域信号を正規化する正規化ステップと
を含むことを特徴とする受信方法。
【発明の詳細な説明】
【０００１】
【発明の属する技術分野】
本発明は、受信装置および方法に関し、特に、ＯＦＤＭ信号の伝送の信頼性を向上させるようにした受信装置および方法に関する。
【０００２】
【従来の技術】
地上波を用いてデジタル伝送する場合、送信信号は様々な反射物により多重反射されて受信アンテナへと到達する。このことから、受信信号にはマルチパスによる周波数特性を生じる。また、送信機、受信機が移動している場合や反射物が動いている場合、時変の反射となることから、送信機から受信機までの周波数特性が変動することになり、一般にフェーディングと呼ばれる伝送特性の変動現象が発生する。
【０００３】
このようなマルチパスやフェーディングに対して耐性のある方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）伝送方式が注目されており、とりわけ地上波デジタル放送や無線ＬＡＮなどへの応用が考えられている。ＯＦＤＭ方式は、受信機で適切なＦＦＴ（Ｆａｓｔ  Ｆｏｕｒｉｅｒ  Ｔｒａｎｓｆｏｒｍ）窓位相と伝送路特性の補正（以下、等化と称する）を行うことにより、ガードインターバル以内のマルチパスの影響を排除することができる伝送方式である。ＯＦＤＭ方式はまた、伝送路特性の推定を容易に高速に行うことができるという特徴を有している。ＯＦＤＭ方式はこのような特徴を有しているため、伝送路特性の変動に対する追従性の良好な等化を行うことができ、マルチパスやフェーディングが問題となる伝送路に対して良好な伝送特性を得ることができる。
【０００４】
ＯＦＤＭ方式は、多数の搬送波を用いるマルチキャリア方式の一種であり、情報はそれぞれの搬送波に分散されて伝送されているが、マルチパスやフェーディングに起因する伝送路レベル応答の小さな搬送波により伝送される情報においては、レベル応答の大きな搬送波により伝送される情報と比較して、伝送誤りが増大する。このような伝送路レベル応答の小さな搬送波による伝送誤りの影響を排除するために、各種のインターリーブを施すことにより伝送誤りを分散させ、後段の誤り訂正回路にて伝送誤りを訂正するようにしたものが知られている。
【０００５】
ところで、ＯＦＤＭ方式は、受信機に大きな負担をかけることなく、マルチパスやフェーディングの影響を排除できる変調方式であるが、ダイバーシティ受信を併用することで伝送の信頼性をさらに向上させることが提案されている（例えば、特許文献１参照）。
【０００６】
ダイバーシティ技術は送受信機間に複数の伝送経路を設定して、情報を伝送する手法であり、受信機において、複数の伝送経路により伝送されて来た受信信号を合成することによって、伝送の高安定化、高信頼化を図る技術である。この複数の伝送経路からの受信信号を合成する手法として、従来、選択合成法、等利得合成法、および最大比合成法の各合成法が知られている。
【０００７】
このうち最大比合成は、合成後のキャリア電力対雑音電力比（以下、Ｃ／Ｎ比（Ｃａｒｒｉｅｒ  ｔｏ  Ｎｏｉｓｅ  Ｒａｔｉｏ）と称する）が最大になるように、各ブランチにより受信された信号に対して適当な重み付けを行い、加算する合成法である。最大比合成法は、合成後のＣ／Ｎ比を最大とすることから、選択合成法、および等利得合成法と比較して、送信装置から伝送された信号を最も正確に再生することができる。
【０００８】
ＯＦＤＭ方式は、マルチパスやフェーディングの環境においても受信機に大きな負担をかけることなくその影響を排除できる変調方式であり、さらに特許文献１に提案されているように、ダイバーシティ受信を併用することにより、さらに雑音の影響を抑え、伝送の信頼性を向上させることが期待されている。
【０００９】
【特許文献１】
特開平９−２８４１９１号公報
【００１０】
【発明が解決しようとする課題】
しかしながら、特許文献１には、複数のアンテナで受信したＯＦＤＭ信号をＦＦＴ処理した後に、ＯＦＤＭキャリア単位で選択合成、等利得合成、または最大比合成することについて触れられているものの、その具体的構成については記載されていない。従って、実際には、複数のアンテナで受信したＯＦＤＭ信号をＦＦＴ処理した後に、ＯＦＤＭキャリア単位で最大比合成することは、実現されていないという課題があった。
【００１１】
本発明はこのような状況に鑑みてなされたものであり、ＯＦＤＭ信号の伝送信頼性をより向上させることを目的とする。
【００１２】
【課題を解決するための手段】
本発明の第１の受信装置は、複数のブランチのそれぞれに受信された伝送信号の伝送路特性をブランチ毎に推定する推定手段と、ブランチ毎に、ブランチに対応する伝送路特性に基づいて、ブランチの周波数領域信号を等化する等化手段と、等化手段によりブランチ毎に等化された周波数領域信号に対して重み補正係数を乗算して、重み補正する補正手段と、補正手段により重み補正された、複数のブランチの周波数領域信号を合成する合成手段とを備えることを特徴とする。
【００１３】
前記推定手段により推定された、全ての前記ブランチの前記伝送路特性に基づいて、各ブランチの前記重み補正係数を算出する算出手段をさらに設けるようにし、前記補正手段には、前記算出手段により算出された前記重み補正係数により、重み補正するようにさせることができる。
【００１４】
前記算出手段には、各ブランチの前記伝送路特性の絶対値の自乗を、全ての前記ブランチの前記伝送路特性の絶対値の自乗和で割り算して、前記各ブランチの前記重み補正係数を算出するようにさせることができる。
【００１５】
本発明の第１の受信方法は、複数のブランチのそれぞれに受信された伝送信号の伝送路特性をブランチ毎に推定する推定ステップと、ブランチ毎に、ブランチに対応する伝送路特性に基づいて、ブランチの周波数領域信号を等化する等化ステップと、等化ステップの処理によりブランチ毎に等化された周波数領域信号に対して重み補正係数を乗算して、重み補正する補正ステップと、補正ステップの処理により重み補正された、複数のブランチの周波数領域信号を合成する合成ステップとを含むことを特徴とする。
【００１６】
本発明の第２の受信装置は、複数のブランチにより受信された伝送信号の伝送路特性をブランチ毎に推定する推定手段と、推定手段により推定された、全てのブランチの伝送路特性に基づいて、周波数領域信号をブランチ毎に等化する等化手段と、等化手段によりブランチ毎に等化された全てのブランチの周波数領域信号を合成する合成手段とを備えることを特徴とする。
【００１７】
前記推定手段により推定された、全ての前記ブランチの前記伝送路特性に基づいて、複素制御値を算出する算出手段をさらに設けるようにし、前記等化手段には、各ブランチの前記周波数領域信号に対して、算出手段により算出された複素制御値を複素乗算するようにさせることができる。
【００１８】
前記算出手段には、各ブランチの前記伝送路特性の共役複素数を、全ての前記ブランチの前記伝送路特性の絶対値の自乗和で割り算して、前記各ブランチの前記複素制御値を算出するようにさせることができる。
【００１９】
本発明の第２の受信方法は、複数のブランチにより受信された伝送信号の伝送路特性をブランチ毎に推定する推定ステップと、推定ステップの処理により推定された、全てのブランチの伝送路特性に基づいて、周波数領域信号をブランチ毎に等化する等化ステップと、等化ステップの処理によりブランチ毎に等化された全てのブランチの周波数領域信号を合成する合成ステップとを含むことを特徴とする。
【００２０】
本発明の第３の受信装置は、複数のブランチにより受信された伝送信号の伝送路特性をブランチ毎に推定する推定手段と、ブランチ毎に、ブランチに対応する伝送路特性に基づいて、ブランチの周波数領域信号を等化する等化手段と、等化手段により等化された全てのブランチの周波数領域信号を合成する合成手段と、推定手段により推定された、全てのブランチの伝送路特性に基づいて、合成手段により合成された周波数領域信号を正規化する正規化手段とを備えることを特徴とする。
【００２１】
前記推定手段により推定された全ての前記伝送路特性の絶対値の自乗和の逆数を算出する算出手段をさらに設けるようにし、前記正規化手段には、前記合成手段により合成された前記周波数領域信号に対して、算出手段により算出された逆数を乗算するようにさせることができる。
【００２２】
本発明の第３の受信方法は、複数のブランチにより受信された伝送信号の伝送路特性をブランチ毎に推定する推定ステップと、ブランチ毎に、ブランチに対応する伝送路特性に基づいて、ブランチの周波数領域信号を等化する等化ステップと、等化ステップの処理により等化された全てのブランチの周波数領域信号を合成する合成ステップと、推定ステップの処理により推定された、全てのブランチの伝送路特性に基づいて、合成ステップの処理により合成された周波数領域信号を正規化する正規化ステップとを含むことを特徴とする。
【００２３】
本発明の第１の受信装置においては、複数のブランチのそれぞれに受信された伝送信号の伝送路特性がブランチ毎に推定され、ブランチ毎に、ブランチに対応する伝送路特性に基づいて、ブランチの周波数領域信号が等化され、ブランチ毎に等化された周波数領域信号に対して重み補正係数が乗算されて、重み補正され、重み補正された複数のブランチの周波数領域信号が合成される。
【００２４】
本発明の第２の受信装置においては、複数のブランチにより受信された伝送信号の伝送路特性がブランチ毎に推定され、推定された全てのブランチの伝送路特性に基づいて、周波数領域信号がブランチ毎に等化され、ブランチ毎に等化された全てのブランチの周波数領域信号が合成される。
【００２５】
本発明の第３の受信装置においては、複数のブランチにより受信された伝送信号の伝送路特性がブランチ毎に推定され、ブランチ毎に、ブランチに対応する伝送路特性に基づいて、ブランチの周波数領域信号が等化され、等化された全てのブランチの周波数領域信号が合成され、推定された全てのブランチの伝送路特性に基づいて、合成された周波数領域信号が正規化される。
【００２６】
本発明は、ＯＦＤＭ信号を受信する電子機器に適用することができる。
【００２７】
【発明の実施の形態】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２８】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２９】
請求項１に記載の受信装置（例えば、図１の受信装置１）は、複数のブランチ（例えば、図１のブランチ１１−１および１１−２）のそれぞれに受信された伝送信号（例えば、図１の伝送信号Ａおよび伝送信号Ｂ）の伝送路特性をブランチ毎に推定する推定手段（例えば、図１の伝送路特性推定回路２６−１および２６−２）と、ブランチ毎に、ブランチに対応する伝送路特性に基づいて、ブランチの周波数領域信号を等化する等化手段（例えば、図１の等化回路２７−１および２７−２）と、等化手段によりブランチ毎に等化された周波数領域信号に対して重み補正係数を乗算して、重み補正する補正手段（例えば、図１の重み補正回路２８−１および２８−２）と、補正手段により重み補正された、複数のブランチの周波数領域信号を合成する合成手段（例えば、図１の加算回路１３）とを備えることを特徴とする。
【００３０】
請求項２に記載の受信装置は、前記推定手段により推定された、全ての前記ブランチの前記伝送路特性に基づいて、各ブランチの前記重み補正係数を算出する算出手段（例えば、図１の重み制御回路１２）をさらに設けるようにし、前記補正手段には、前記算出手段により算出された前記重み補正係数により、重み補正するようにさせることを特徴とする。
【００３１】
請求項３に記載の受信装置においては、前記算出手段には、各ブランチの前記伝送路特性の絶対値の自乗を、全ての前記ブランチの前記伝送路特性の絶対値の自乗和で割り算して、前記各ブランチの前記重み補正係数を算出するようにさせることを特徴とする。
【００３２】
請求項４に記載の受信方法は、複数のブランチ（例えば、図１のブランチ１１−１および１１−２）のそれぞれに受信された伝送信号（例えば、図１の伝送信号Ａおよび伝送信号Ｂ）の伝送路特性をブランチ毎に推定する推定ステップ（例えば、図２のステップＳ１０６）と、ブランチ毎に、ブランチに対応する伝送路特性に基づいて、ブランチの周波数領域信号を等化する等化ステップ（例えば、図２のステップＳ１０７）と、等化ステップの処理によりブランチ毎に等化された周波数領域信号に対して重み補正係数を乗算して、重み補正する補正ステップ（例えば、図２のステップＳ１０９）と、補正ステップの処理により重み補正された、複数のブランチの周波数領域信号を合成する合成ステップ（例えば、図１のステップＳ１１０）とを含むことを特徴とする。
【００３３】
請求項５に記載の受信装置（例えば、図３の受信装置１０１）は、複数のブランチ（例えば、図３のブランチ１１１−１および１１１−２）により受信された伝送信号（例えば、図３の伝送信号Ａおよび伝送信号Ｂ）の伝送路特性をブランチ毎に推定する推定手段（例えば、図３の伝送路特性推定回路２６−１および２６−２）と、推定手段により推定された、全てのブランチの伝送路特性に基づいて、周波数領域信号をブランチ毎に等化する等化手段（例えば、図３の等化回路１２１−１および１２１−２）と、等化手段によりブランチ毎に等化された全てのブランチの周波数領域信号を合成する合成手段（例えば、図３の加算回路１１３）とを備えることを特徴とする。
【００３４】
請求項６に記載の受信装置は、前記推定手段により推定された、全ての前記ブランチの前記伝送路特性に基づいて、複素制御値を算出する算出手段（例えば、図３の等化制御回路１１２）をさらに設けるようにし、前記等化手段には、各ブランチの前記周波数領域信号に対して、算出手段により算出された複素制御値を複素乗算するようにさせることを特徴とする。
【００３５】
請求項７に記載の受信装置においては、前記算出手段には、各ブランチの前記伝送路特性の共役複素数を、全ての前記ブランチの前記伝送路特性の絶対値の自乗和で割り算して、前記各ブランチの前記複素制御値を算出するようにさせることを特徴とする。
【００３６】
請求項８に記載の受信方法は、複数のブランチ（例えば、図３のブランチ１１１−１および１１１−２）により受信された伝送信号（例えば、図３の伝送信号Ａおよび伝送信号Ｂ）の伝送路特性をブランチ毎に推定する推定ステップ（例えば、図５のステップＳ２０６）と、推定ステップの処理により推定された、全てのブランチの伝送路特性に基づいて、周波数領域信号をブランチ毎に等化する等化ステップ（例えば、図５のステップＳ２０８）と、等化ステップの処理によりブランチ毎に等化された全てのブランチの周波数領域信号を合成する合成ステップ（例えば、図５のステップＳ２０９）とを含むことを特徴とする。
【００３７】
請求項９に記載の受信装置（例えば、図６の受信装置２０１）は、複数のブランチ（例えば、図６のブランチ２１１−１および２１１−２）により受信された伝送信号（例えば、図６の伝送信号Ａおよび伝送信号Ｂ）の伝送路特性をブランチ毎に推定する推定手段（例えば、図６の伝送路特性推定回路２６−１および２６−２）と、ブランチ毎に、ブランチに対応する伝送路特性に基づいて、ブランチの周波数領域信号を等化する等化手段（例えば、図６の等化回路２２１−１および２２１−２）と、等化手段により等化された全てのブランチの周波数領域信号を合成する合成手段（例えば、図６の加算回路２１３）と、推定手段により推定された、全てのブランチの伝送路特性に基づいて、合成手段により合成された周波数領域信号を正規化する正規化手段（例えば、図６の正規化回路２１４）とを備えることを特徴とする。
【００３８】
請求項１０に記載の受信装置は、前記推定手段により推定された全ての前記伝送路特性の絶対値の自乗和の逆数を算出する算出手段（例えば、図６の正規化制御回路２１２）をさらに設けるようにし、前記正規化手段には、前記合成手段により合成された前記周波数領域信号に対して、算出手段により算出された逆数を乗算するようにさせることを特徴とする。
【００３９】
請求項１１に記載の受信方法は、複数のブランチ（例えば、図６のブランチ２１１−１および２１１−２）により受信された伝送信号（例えば、図６の伝送信号Ａおよび伝送信号Ｂ）の伝送路特性をブランチ毎に推定する推定ステップ（例えば、図８のステップＳ３０６）と、ブランチ毎に、ブランチに対応する伝送路特性に基づいて、ブランチの周波数領域信号を等化する等化ステップ（例えば、図８のステップＳ３０７）と、等化ステップの処理により等化された全てのブランチの周波数領域信号を合成する合成ステップ（例えば、図８のステップＳ３０９）と、推定ステップの処理により推定された、全てのブランチの伝送路特性に基づいて、合成ステップの処理により合成された周波数領域信号を正規化する正規化ステップ（例えば、図８のステップＳ３１０）とを含むことを特徴とする。
【００４０】
図１は、本発明を適用した受信装置１の一実施の形態の構成を表している。
【００４１】
図１において、受信装置１は、ブランチ１１−１および１１−２の２つのブランチを有しており、各ブランチ１１−１および１１−２で受信したＯＦＤＭ信号をダイバーシティ受信し、最大比合成する。なお、図１の例においては、説明を簡略化するため、ブランチの個数を２つとしているが、勿論、ブランチの個数は、３つ以上でも良い。
【００４２】
放送局から、ブランチ１１−１に受信された伝送信号を伝送信号Ａとし、放送局からブランチ１１−２に受信された伝送信号を伝送信号Ｂとする。放送局から発信される信号は同一であるが、発信された信号は、異なる伝送経路を経由して、それぞれ受信アンテナ２１−１および２１−２に受信される。従って、伝送信号Ａと伝送信号Ｂは、異なる伝送路特性を有している。
【００４３】
ブランチ１１−１は、受信アンテナ２１−１、高周波回路２２−１、Ａ／Ｄ（Ａｎａｌｏｇ  ｔｏ  Ｄｉｇｉｔａｌ）回路２３−１、直交復調回路２４−１、ＦＦＴ回路２５−１、伝送路特性推定回路２６−１、等化回路２７−１、および重み補正回路２８−１を含む。
【００４４】
受信アンテナ２１−１は、伝送信号Ａを捕捉する。高周波回路２２−１は、受信アンテナ２１−１により捕捉された伝送信号Ａから、所要帯域の信号を抜き出し、抜き出された信号を所要レベルの電力に増幅し、増幅された信号をＡ／Ｄ回路２３−１に出力する。
【００４５】
Ａ／Ｄ回路２３−１は、高周波回路２２−１から供給された信号を標本化および量子化し、直交復調回路２４−１に出力する。
【００４６】
直交復調回路２４−１は、Ａ／Ｄ回路２３−１から供給された信号を直交復調し、直交復調された信号をＦＦＴ回路２５−１に出力する。なお、直交復調回路２４−１から出力される信号は、所謂、時間領域の信号である。
【００４７】
ＦＦＴ回路２５−１は、直交復調回路２４−１から供給された時間領域の信号を周波数領域の信号に変換し、変換された周波数領域信号を伝送路特性推定回路２６−１および等化回路２７−１に出力する。
【００４８】
伝送路特性推定回路２６ー１は、ＦＦＴ回路２５−１から入力された周波数領域信号から、既知のパイロット信号を抽出して、伝送信号Ａが経由してきた伝送路の伝送路特性の推定値を算出し、算出された伝送路特性を等化回路２７−１および重み制御回路１２に出力する。なお、以下の説明において、伝送信号Ａが経由してきた伝送路の伝送路特性をＨ１（ω）とする。
【００４９】
等化回路２７−１は、伝送路特性推定回路２６−１から供給された伝送路特性Ｈ１（ω）の逆数１／Ｈ１（ω）と、ＦＦＴ回路２５−１から供給された信号を複素演算して、ＦＦＴ回路２５−１の出力を等化し、等化後の信号を重み補正回路２８−１に出力する。
【００５０】
重み補正回路２８−１は、等化回路２７−１から供給されたＯＦＤＭ各搬送波に対して、重み制御回路１２から供給される、ＯＦＤＭ各搬送波に対する重み補正係数を乗算して、ＯＦＤＭ搬送波単位での重み付けを行い、重み付けされた信号を加算回路１３に供給する。
【００５１】
ブランチ１１−２は、受信アンテナ２１−２、高周波回路２２−２、Ａ／Ｄ回路２３−２、直交復調回路２４−２、ＦＦＴ回路２５−２、伝送路特性推定回路２６−２、等化回路２７−２、および重み補正回路２８−２を含む。ブランチ１１−２の内部の構成は、ブランチ１１−１と同様である。
【００５２】
すなわち、受信アンテナ２１−２は、伝送信号Ｂを捕捉する。高周波回路２２−２は、受信アンテナ２１−２により捕捉された伝送信号Ｂから、所要帯域の信号を抜き出し、抜き出された信号を所要レベルの電圧に増幅し、増幅された信号をＡ／Ｄ回路２３−２に出力する。
【００５３】
Ａ／Ｄ回路２３−２は、高周波回路２２−２から供給された信号を標本化および量子化し、直交復調回路２４−２に出力する。
【００５４】
直交復調回路２４−２は、Ａ／Ｄ回路２３−２から供給された信号を直交復調し、直交復調された信号をＦＦＴ回路２５−２に出力する。なお、直交復調回路２４−２から出力される信号は、所謂、時間領域の信号である。
【００５５】
ＦＦＴ回路２５−２は、直交復調回路２４−２から供給された時間領域の信号を周波数領域の信号に変換し、変換された周波数領域信号を伝送路特性推定回路２６−２および等化回路２７−２に出力する。
【００５６】
伝送路特性推定回路２６−２は、ＦＦＴ回路２５−２から入力された周波数領域信号から、既知のパイロット信号を抽出して、伝送信号Ｂが経由してきた伝送路の伝送路特性の推定値を算出し、算出された伝送路特性を等化回路２７−２および重み制御回路１２に出力する。なお、以下の説明において、伝送信号Ｂが経由してきた伝送路の伝送路特性をＨ２（ω）とする。
【００５７】
等化回路２７−２は、伝送路特性推定回路２６−２から供給された伝送路特性Ｈ２（ω）の逆数１／Ｈ２（ω）と、ＦＦＴ回路２５−２から供給された信号を複素演算して、ＦＦＴ回路２５−２の出力を等化し、等化後の信号を重み補正回路２８−２に出力する。
【００５８】
重み補正回路２８−２は、等化回路２７−２から供給されたＯＦＤＭ各搬送波に対して、重み制御回路１２から供給される、ＯＦＤＭ各搬送波に対する重み補正係数を乗算して、ＯＦＤＭ搬送波単位での重み付けを行い、重み付けされた信号を加算回路１３に供給する。
【００５９】
なお、上記したように、ブランチ１１−１および１１−２の内部構成は、同一である。以下、ブランチ１１−１および１１−２のそれぞれを、個々に区別する必要がない場合、まとめてブランチ１１と称する。以下、他の構成も同様とする。
【００６０】
重み制御回路１２は、伝送路特性推定回路２６−１および２６−２から供給された伝送路特性Ｈ１（ω）およびＨ２（ω）に基づいて、重み補正係数を算出し、算出した重み補正係数を重み補正回路２８−１および２８−２に出力する。
【００６１】
重み制御回路１２は、以下の式により、重み補正係数を算出する。なお、以下の式において、重み制御回路１２から重み補正回路２８−１に供給される重み補正係数をＷ１（ω）とし、重み制御回路１２から重み補正回路２８−２に供給される重み補正係数をＷ２（ω）とする。
【００６２】
Ｗ１（ω）＝｜Ｈ１（ω）｜２／｛｜Ｈ１（ω）｜２＋｜Ｈ２（ω）｜２｝      （１）
Ｗ２（ω）＝｜Ｈ２（ω）｜２／｛｜Ｈ２（ω）｜２＋｜Ｈ２（ω）｜２｝      （２）
【００６３】
すなわち、式（１）に示されるように、重み補正係数Ｗ１（ω）は、ブランチ１１−１の伝送路特性Ｈ１（ω）の絶対値の自乗を、全てのブランチ１１−１および１１−２の伝送路特性（すなわちＨ１（ω）およびＨ２（ω））の絶対値の自乗の和で割り算した値である。また、式（２）に示されるように、重み補正係数Ｗ２（ω）は、ブランチ１１−２の伝送路特性Ｈ２（ω）の絶対値の自乗を、全てのブランチ１１−１および１１−２の伝送路特性（すなわちＨ１（ω）およびＨ２（ω））の絶対値の自乗の和で割り算した値である。
【００６４】
すなわち、各ブランチ１１に対する重み補正係数は、各ブランチ１１の伝送路特性の絶対値の自乗を、全ブランチ１１の伝送路特性の絶対値の自乗和で割り算した値とされる。
【００６５】
加算回路１３は、ブランチ１１−１の重み補正回路２８−１およびブランチ１１−２の重み補正回路２８−２から供給された信号を加算合成し、図示せぬ後段の誤り訂正回路に出力する。
【００６６】
次に、図２のフローチャートを参照して、受信装置１の受信処理について説明する。
【００６７】
ステップＳ１０１において、受信アンテナ２１−１および２１−２は、それぞれ伝送信号Ａおよび伝送信号Ｂを捕捉する。
【００６８】
ステップＳ１０２において、高周波回路２２−１および２２−２は、ステップＳ１０１で受信アンテナ２１−１および２１−２により捕捉された伝送信号Ａおよび伝送信号Ｂから、それぞれ所要帯域の信号のみを抜き出し、所要レベルの電圧に増幅し、Ａ／Ｄ回路２３−１および２３−２に出力する。
【００６９】
ステップＳ１０３において、Ａ／Ｄ回路２３−１および２３−２は、ステップＳ１０２で所要レベルの電圧に増幅された信号を標本化および量子化する。これにより、信号は、離散した標本値ｓ１（ｐ）およびｓ２（ｐ）となる。なお、ｓ１（ｐ）は、Ａ／Ｄ回路２３−１の出力であり、ｓ２（ｐ）は、Ａ／Ｄ回路２３−２の出力である。
【００７０】
ステップＳ１０４において、直交復調回路２４−１および２４−２は、ステップＳ１０３でＡ／Ｄ回路２３−１および２３−２により量子化された信号を直交復調し、直交復調された信号をＦＴＴ回路２５−１および２５−２に出力する。
【００７１】
ステップＳ１０５において、ＦＦＴ回路２５−１および２５−２は、ステップＳ１０４で直交復調回路２４−１および２４−２により直交復調された信号を時間領域信号から周波数領域信号に変換し、変換後の周波数領域信号を伝送路特性推定回路２６−１および２６−２、並びに等化回路２７−１および２７−２に出力する。
【００７２】
ステップＳ１０６において、伝送路特性推定回路２６−１は、ＦＴＴ回路２５−１から供給された周波数領域信号から、既知のパイロット信号を抽出して、伝送信号Ａが経由してきた伝送路の伝送路特性Ｈ１（ｐ）を算出し、算出された伝送路特性Ｈ１（ｐ）を等化回路２７−１および重み制御回路１２に出力する。なお、伝送路特性は、上述においては、Ｈ１（ω）と記載したが、実際には、Ａ／Ｄ回路２３−１により標本化されているため、ここではＨ１（ｐ）と記載する。
【００７３】
また、ステップＳ１０６において、伝送路特性推定回路２６−２は、ＦＴＴ回路２５−２から供給された周波数領域信号から、既知のパイロット信号を抽出して、伝送信号Ｂが経由してきた伝送路の伝送路特性Ｈ２（ｐ）を算出し、算出された伝送路特性Ｈ２（ｐ）を等化回路２７−２および重み制御回路１２に出力する。なお、伝送路特性は、上述においては、Ｈ２（ω）と記載したが、実際には、Ａ／Ｄ回路２３−２により標本化されているため、ここではＨ２（ｐ）と記載する。
【００７４】
なお、伝送路特性Ｈ１（ｐ）およびＨ２（ｐ）の算出方法は、既知のものを利用することができる。
【００７５】
ステップＳ１０７において、等化回路２７−１は、伝送路特性推定回路２６−１から供給された伝送路特性Ｈ１（ｐ）の逆数１／Ｈ１（ｐ）と、ＦＦＴ回路２５−１から供給された信号を複素演算して等化処理を行い、等化後の信号を重み補正回路２８−１に出力する。また、等化回路２７−２は、伝送路特性推定回路２６−２から供給された伝送路特性Ｈ２（ｐ）の逆数１／Ｈ２（ｐ）と、ＦＦＴ回路２５−２から供給された信号を複素演算して等化処理を行い、等化後の信号を重み補正回路２８−２に出力する。
【００７６】
ステップＳ１０８において、重み制御回路１２は、ステップＳ１０６で、伝送路特性推定回路２６−１により推定された伝送路特性Ｈ１（ｐ）、および伝送路特性推定回路２６−２により推定された伝送路特性Ｈ２（ｐ）に基づいて、上述の式（１）および式（２）により、重み補正係数Ｗ１（ｐ）およびＷ２（ｐ）を算出し、算出された重み補正係数Ｗ１（ｐ）を重み補正回路２８−１に供給し、重み補正係数Ｗ２（ｐ）を重み補正回路２８−２に供給する。なお、重み補正係数は、上述においては、Ｗ１（ω）およびＷ２（ω）と記載したが、実際には、Ａ／Ｄ回路２３−２により標本化されているため、ここではＷ１（ｐ）およびＷ２（ｐ）と記載する。
【００７７】
ステップＳ１０９において、重み補正回路２８−１は、等化回路２７−１から供給されたＯＦＤＭ各搬送波に対して、重み制御回路１２から供給される重み補正係数Ｗ１（ｐ）を乗算して、ＯＦＤＭ搬送波単位での重み付けを行い、重み付けされた信号を加算回路１３に供給する。また、重み補正回路２８−２は、等化回路２７−２から供給されたＯＦＤＭ各搬送波に対して、重み制御回路１２から供給される重み補正係数Ｗ２（ｐ）を乗算して、ＯＦＤＭ搬送波単位での重み付けを行い、重み付けされた信号を加算回路１３に供給する。
【００７８】
ステップＳ１１０において、加算回路１３は、重み補正回路２８−１および２８−２から供給された、それぞれで重み付けされた値を加算合成し、図示せぬ後段の誤り訂正回路に出力する。その後、信号は、誤り訂正処理が施され、伝送情報が再生される。
【００７９】
以上のようにして、受信処理が実行される。
【００８０】
以上のように、全てのブランチの伝送路特性推定結果Ｈ１（ｐ）およびＨ２（ｐ）を利用して、重み補正係数を算出し、この重み補正係数で各ブランチの等化処理後の出力を重み付けすることにより、ＯＦＤＭ搬送波毎に、そのＣ／Ｎ比を最大とする最大比合成を実現することが可能となる。
【００８１】
なお、以上の説明においては、説明を簡略化するために、ブランチ数を２つとしたが、勿論、３つ以上でも良い。
【００８２】
この場合、重み制御回路１２において、重み補正係数は、以下のようにして算出される。すなわち、第ｐ番目のＯＦＤＭ搬送波に対する、第ｋ番目のブランチの伝送路特性推定回路で推定した伝送路特性をＨｋ（ｐ）とし、第ｐ番目のＯＦＤＭ搬送波の重み係数をＷｋ（ｐ）とするとき、重み係数Ｗｋ（ｐ）は、次の式により算出される。
【００８３】
【数１】
2004343587.tif 000003
【００８４】
すなわち、式（３）は、各ブランチ１１に対する重み補正係数が、各ブランチ１１の伝送路特性の絶対値の自乗を、全ブランチ１１の伝送路特性の絶対値の自乗和で割り算した値であることを表している。
【００８５】
重み制御回路１２は、式（３）により算出された重み補正係数を、第ｋ番目のブランチ、すなわちブランチ１１−ｋの重み補正回路２８−ｋに供給する。
【００８６】
次に、本発明を適用した受信装置の図１とは異なる例を説明する。図３は、図１とは異なる受信装置１０１の構成例を表している。なお、図３の受信装置１０１において、図１の受信装置１と同一の構成には、同一の符号を付してある。
【００８７】
図３において、受信装置１０１は、ブランチ１１１−１および１１１−２の２つのブランチを有しており、各ブランチ１１１−１および１１１−２で受信したＯＦＤＭ信号を最大比合成する。なお、図３の例においては、説明を簡略化するため、ブランチの個数を２つとしているが、勿論、ブランチの個数は、３つ以上でも良い。
【００８８】
放送局から、ブランチ１１１−１までの伝送信号を伝送信号Ａとし、放送局からブランチ１１１−２までの伝送信号を伝送信号Ｂとする。放送局から発信される信号は同一であるが、発信された信号は、異なる伝送経路を経由して、それぞれ受信アンテナ２１−１および２１−２に受信される。従って、伝送信号Ａと伝送信号Ｂは、異なる伝送路特性を有している。
【００８９】
ブランチ１１１−１は、受信アンテナ２１−１、高周波回路２２−１、Ａ／Ｄ回路２３−１、直交復調回路２４−１、ＦＦＴ回路２５−１、伝送路特性推定回路２６−１、および等化回路１２１−１を含む。
【００９０】
受信アンテナ２１−１は、伝送信号Ａを捕捉する。高周波回路２２−１は、受信アンテナ２１−１により捕捉された伝送信号Ａから、所要帯域の信号を抜き出し、抜き出された信号を所要レベルの電力に増幅し、増幅された信号をＡ／Ｄ回路２３−１に出力する。
【００９１】
Ａ／Ｄ回路２３−１は、高周波回路２２−１から供給された信号を標本化および量子化し、直交復調回路２４−１に出力する。
【００９２】
直交復調回路２４−１は、Ａ／Ｄ回路２３−１から供給された信号を直交復調し、直交復調された信号をＦＦＴ回路２５−１に出力する。なお、直交復調回路２４−１から出力される信号は、所謂、時間領域の信号である。
【００９３】
ＦＦＴ回路２５−１は、直交復調回路２４−１から供給された時間領域の信号を周波数領域の信号に変換し、変換された周波数領域信号を伝送路特性推定回路２６−１および等化回路１２１−１に出力する。
【００９４】
伝送路特性推定回路２６ー１は、ＦＦＴ回路２５−１から入力された周波数領域信号から、既知のパイロット信号を抽出して、伝送信号Ａが経由してきた伝送路の伝送路特性の推定値を算出し、算出された伝送路特性を等化制御回路１１２に出力する。なお、以下の説明において、伝送信号Ａが経由してきた伝送路の伝送路特性をＨ１（ω）とする。
【００９５】
等化回路１２１−１は、ＦＦＴ回路２５−１から供給された信号、および等化制御回路１１２から供給される伝達関数（複素制御値）を複素演算して、ＦＦＴ回路２５−１の出力を補正し、補正後の信号を加算回路１１３に出力する。
【００９６】
ブランチ１１１−２は、受信アンテナ２１−２、高周波回路２２−２、Ａ／Ｄ回路２３−２、直交復調回路２４−２、ＦＦＴ回路２５−２、伝送路特性推定回路２６−２、および等化回路１２１−２を含む。ブランチ１１１−２の内部の構成は、ブランチ１１１−１と同様である。
【００９７】
すなわち、受信アンテナ２１−２は、伝送信号Ｂを捕捉する。高周波回路２２−２は、受信アンテナ２１−２により捕捉された伝送信号Ｂから、所要帯域の信号を抜き出し、抜き出された信号を所要レベルの電圧に増幅し、増幅された信号をＡ／Ｄ回路２３−２に出力する。
【００９８】
Ａ／Ｄ回路２３−２は、高周波回路２２−２から供給された信号を標本化および量子化し、直交復調回路２４−２に出力する。
【００９９】
直交復調回路２４−２は、Ａ／Ｄ回路２３−２から供給された信号を直交復調し、直交復調された信号をＦＦＴ回路２５−２に出力する。なお、直交復調回路２４−２から出力される信号は、所謂、時間領域の信号である。
【０１００】
ＦＦＴ回路２５−２は、直交復調回路２４−２から供給された時間領域の信号を周波数領域の信号に変換し、変換された周波数領域信号を伝送路特性推定回路２６−２および等化回路１２１−２に出力する。
【０１０１】
伝送路特性推定回路２６−２は、ＦＦＴ回路２５−２から入力された周波数領域信号から、既知のパイロット信号を抽出して、伝送信号Ｂが経由してきた伝送路の伝送路特性の推定値を算出し、算出された伝送路特性を等化制御回路１１２に出力する。なお、以下の説明において、伝送信号Ｂが経由してきた伝送路の伝送路特性をＨ２（ω）とする。
【０１０２】
等化回路１２１−２は、ＦＦＴ回路２５−２から供給された信号、および等化制御回路１１２から供給される伝達関数（複素制御値）を複素演算して、ＦＦＴ回路２５−２の出力を補正し、補正後の信号を加算回路１１３に出力する。
【０１０３】
等化制御回路１１２は、伝送路特性推定回路２６−１および２６−２から供給された伝送路特性Ｈ１（ω）およびＨ２（ω）に基づいて、伝達関数（複素制御値）を算出し、算出した伝達関数（複素制御値）を等化回路１２１−１および１２１−２に出力する。
【０１０４】
等化制御回路１１２は、以下の式により、伝達関数（複素制御値）を算出する。なお、以下の説明において、等化制御回路１１２から等化回路１２１−１に供給される伝達関数（複素制御値）をＥ１（ω）とし、等化制御回路１１２から等化回路１２１−２に供給される伝達関数（複素制御値）をＥ２（ω）とする。また、伝送路特性Ｈ１（ω）の共役複素数をＨ１＊（ω）とし、伝送路特性Ｈ２（ω）の共役複素数をＨ２＊（ω）とする。
【０１０５】
Ｅ１（ω）＝Ｈ１＊（ω）／｛｜Ｈ１（ω）｜２＋｜Ｈ２（ω）｜２｝      （４）
Ｅ２（ω）＝Ｈ２＊（ω）／｛｜Ｈ１（ω）｜２＋｜Ｈ２（ω）｜２｝      （５）
【０１０６】
なお、受信アンテナ２１−１および２１−２により受信された伝送信号Ａおよび伝送信号Ｂは、それぞれ高周波回路２２−１および２２−２で所要帯域が抽出され増幅された後、Ａ／Ｄ回路２３−１および２３−２で量子化される。従って、Ａ／Ｄ回路２３−１から出力される信号は離散的な標本値ｓ１（ｐ）となり、Ａ／Ｄ回路２３−２から出力される信号は離散的な標本値ｓ２（ｐ）となる。よって、ＦＦＴ回路２５−１から出力される信号も勿論、離散値Ｓ１（ｐ）となり、ＦＦＴ回路２５−２から出力される信号も離散値Ｓ２（ｐ）となる。
【０１０７】
従って、伝送路特性推定回路２６−１から等化制御回路１１２に供給される伝送路特性は離散値Ｈ１（ｐ）となり、伝送路特性推定回路２６−２から等化制御回路１１２に供給される伝送路特定は離散値Ｈ２（ｐ）となる。
【０１０８】
すなわち、Ｈ１（ｐ）は、ブランチ１１−１の伝送路特性推定回路２６−１から出力される、ｐ番目のＯＦＤＭ搬送波に対する伝送路特性を表し、Ｈ２（ｐ）は、ブランチ１１−２の伝送路特性推定回路２６−２から出力される、ｐ番目のＯＦＤＭ搬送波に対する伝送路特性を表している。なお、Ｈ１（ｐ）およびＨ２（ｐ）は複素数である。
【０１０９】
従って、等化制御回路１１２により算出される伝達関数（複素制御値）は、以下のようになる。
【０１１０】
Ｅ１（ｐ）＝Ｈ１＊（ｐ）／｛｜Ｈ１（ｐ）｜２＋｜Ｈ２（ｐ）｜２｝      （６）
Ｅ２（ｐ）＝Ｈ２＊（ｐ）／｛｜Ｈ１（ｐ）｜２＋｜Ｈ２（ｐ）｜２｝      （７）
【０１１１】
式（６）および式（７）の伝達関数で、等化回路１２１−１および１２１−２により、ＦＦＴ回路２５−１および２５−２の出力を補正することにより、ＦＦＴ回路２５−１および２５−２の出力の等化処理、並びにブランチ１１毎の重み付けをまとめて行うことができる。
【０１１２】
このような回路構成により、受信装置の回路規模を縮小することが可能となる。
【０１１３】
加算回路１１３は、ブランチ１１１−１の等化回路１２１−１およびブランチ１１１−２の等化回路１２１−２から供給された信号を加算合成し、加算合成後の信号を後段の図示せぬ誤り訂正回路に出力する。なお、誤り訂正回路は、加算回路１１３から供給されたダイバーシティ合成信号から伝送情報を再生する。
【０１１４】
次に、図４は、等化回路１２１−１の構成例を表している。図４において、等化回路１２１−１は、複素乗算回路とされ、ＦＦＴ回路２５−１から供給された離散値Ｓ１（ｐ）に、等化制御回路１１２から供給された伝達関数（複素制御値）Ｅ１（ｐ）を乗算して、ＦＦＴ回路２５−１の出力Ｓ１（ｐ）を補正する。そして、等化回路２７−１は、補正後の値Ｓ１（ｐ）・Ｅ１（ｐ）を加算回路１１３に出力する。
【０１１５】
図示はしないが、等化回路１２１−２も、等化回路１２１−１と同様の構成とされる。すなわち、等化回路１２１−２も複素乗算回路とされ、ＦＦＴ回路２５−２から供給された離散値Ｓ２（ｐ）に、等化制御回路１１２から供給された伝達関数（複素制御値）Ｅ２（ｐ）を乗算して、ＦＦＴ回路２５−２の出力Ｓ２（ｐ）を補正する。そして、等化回路２７−２は、補正後の値Ｓ２（ｐ）・Ｅ２（ｐ）を加算回路１１３に出力する。
【０１１６】
よって、図３の加算回路１１３は、等化回路２７−１から供給された値Ｓ１（ｐ）・Ｅ１（ｐ）、および等化回路２７−２から供給された値Ｓ２（ｐ）・Ｅ２（ｐ）を加算合成する。ここで、伝達関数は、式（６）および式（７）のように表されるので、加算後の値は、
｛Ｓ１（ｐ）・Ｈ１＊（ｐ）＋Ｓ２（ｐ）・Ｈ２＊（ｐ）｝／｛｜Ｈ１（ｐ）｜２＋｜Ｈ２（ｐ）｜２｝
となる。加算回路１１３は、加算合成後の値を、後段の回路に出力する。
【０１１７】
次に、図５のフローチャートを参照して、受信装置１０１の受信処理について説明する。
【０１１８】
ステップＳ２０１において、受信アンテナ２１−１および２１−２は、それぞれ伝送信号Ａおよび伝送信号Ｂを捕捉する。
【０１１９】
ステップＳ２０２において、高周波回路２２−１および２２−２は、ステップＳ２０１で受信アンテナ２１−１および２１−２により捕捉された伝送信号Ａおよび伝送信号Ｂから、それぞれ所要帯域の信号のみを抜き出し、所要レベルの電圧に増幅し、Ａ／Ｄ回路２３−１および２３−２に出力する。
【０１２０】
ステップＳ２０３において、Ａ／Ｄ回路２３−１および２３−２は、ステップＳ２０２で所要レベルの電圧に増幅された信号を標本化および量子化する。これにより、信号は、離散した標本値ｓ１（ｐ）およびｓ２（ｐ）となる。
【０１２１】
ステップＳ２０４において、直交復調回路２４−１および２４−２は、ステップＳ２０３でＡ／Ｄ回路２３−１および２３−２により量子化された信号を直交復調し、直交復調された信号をＦＴＴ回路２５−１および２５−２に出力する。
【０１２２】
ステップＳ２０５において、ＦＦＴ回路２５−１および２５−２は、ステップＳ２０４で直交復調回路２４−１および２４−２により直交復調された信号を時間領域信号から周波数領域信号に変換し、変換後の周波数領域信号を伝送路特性推定回路２６−１および２６−２、並びに等化回路１２１−１および１２１−２に出力する。
【０１２３】
ステップＳ２０６において、伝送路特性推定回路２６−１および２６−２は、ＦＴＴ回路２５−１および２５−２から供給された周波数領域信号から、既知のパイロット信号を抽出して、伝送信号Ａおよび伝送信号Ｂがそれぞれ経由してきた伝送路の伝送路特性Ｈ１（ｐ）およびＨ２（ｐ）を算出し、算出された伝送路特性を等化制御回路１１２に出力する。なお、伝送路特性Ｈ１（ｐ）およびＨ２（ｐ）の算出方法は、既知のものを利用することができる。
【０１２４】
ステップＳ２０７において、等化制御回路１１２は、式（６）および式（７）により伝達関数（複素制御値）を算出し、算出した伝達関数（複素制御値）を等化回路１２１−１および１２１−２に対して出力する。
【０１２５】
ステップＳ２０８において、等化回路１２１−１は、ＦＦＴ回路２５−１から供給された周波数領域信号Ｓ１（ｐ）に対して、等化制御回路１１２から供給された複素制御値Ｈ１＊（ｐ）／｛｜Ｈ１（ｐ）｜２＋｜Ｈ２（ｐ）｜２｝を乗算することにより、周波数領域信号の値を補正して、乗算後の値Ｓ１（ｐ）・Ｈ１＊（ｐ）／｛｜Ｈ１（ｐ）｜２＋｜Ｈ２（ｐ）｜２｝を加算回路１１３に出力する。また、等化回路１２１−２は、ＦＦＴ回路２５−２から供給された周波数領域信号Ｓ２（ｐ）に対して、等化制御回路１１２から供給された複素制御値Ｈ２＊（ｐ）／｛｜Ｈ１（ｐ）｜２＋｜Ｈ２（ｐ）｜２｝を乗算することにより、周波数領域信号の値を補正して、乗算後の値Ｓ２（ｐ）・Ｈ２＊（ｐ）／｛｜Ｈ１（ｐ）｜２＋｜Ｈ２（ｐ）｜２｝を加算回路１１３に出力する。
【０１２６】
ステップＳ２０９において、加算回路１１３は、ステップＳ２０８で等化回路１２１−１から供給された補正済みの周波数領域信号、および等化回路１２１−２から供給された補正済みの周波数領域信号値を加算合成する。すなわち、
Ｓ１（ｐ）・Ｈ１＊（ｐ）／｛｜Ｈ１（ｐ）｜２＋｜Ｈ２（ｐ）｜２｝＋Ｓ２（ｐ）・Ｈ２＊（ｐ）／｛｜Ｈ１（ｐ）｜２＋｜Ｈ２（ｐ）｜２｝
を演算する。
【０１２７】
そして、加算回路１１３は、加算合成後の値、すなわち
｛Ｓ１（ｐ）・Ｈ１＊（ｐ）＋Ｓ２（ｐ）・Ｈ２＊（ｐ）｝／｛｜Ｈ１（ｐ）｜２＋｜Ｈ２（ｐ）｜２｝
を、後段の回路に出力する。
【０１２８】
以上のようにして、受信処理が実行される。
【０１２９】
以上のように、本発明によれば、各ブランチ１１１−１および１１１−２のＦＦＴ回路２５−１および２５−２の出力に対して、全てのブランチ１１１−１および１１１−２に対する伝送路特性Ｈ１（ｐ）およびＨ２（ｐ）に関連付けられた伝達関数を有する等化処理を行って、加算合成することにより、ＯＦＤＭキャリア毎に最大比で合成するダイバーシティ合成を可能にする。また、式（６）および式（７）のように、ＦＦＴ回路２５−１および２５−２の出力を等化し、かつ、重み付けする伝達関数を用いることにより、図１の受信装置１と比較して、より回路規模を縮小することが可能となる。
【０１３０】
すなわち、図１の受信装置１と図３の受信装置１０１で異なる構成部分は、図１の受信装置１の等化回路２７−１，２７−２、重み補正回路２８−１，２８−２、および重み制御回路１２、並びに図３の受信装置１０１の等化回路１２１−１，１２１−２、および等化制御回路１１２である。
【０１３１】
図１の受信装置１において、等化回路２７−１および２７−２は、それぞれ４個の乗算回路、２個の加算回路、および１個の複素逆数ＲＯＭ（２入力２出力）により構成される。また、重み補正回路２８−１および２８−２は、それぞれ２個の乗算回路により構成される。また、重み制御回路１２は、２個の重みＲＯＭ（４入力１出力）により構成される。
【０１３２】
以上をまとめると、図１の受信装置１において、等化回路２７−１，２７−２、重み補正回路２８−１，２８−２、および重み制御回路１２は、全体で４個の加算回路、１２個の乗算回路、４個のＲＯＭ（２入力２出力のＲＯＭが２個、４入力１出力のＲＯＭが１個）により構成されている。
【０１３３】
それに対して、図３の受信装置１０１において、等化回路１２１−１，１２１−２は、それぞれ４個の乗算回路、および２個の加算回路により構成される。また、等化制御回路１１２は、２個の等化制御ＲＯＭ（４入力２出力）により構成される。
【０１３４】
以上をまとめると、図３の受信装置１０１において、等化回路１２１−１，１２１−２、および等化制御回路１１２は、全体で４個の加算回路、８個の乗算回路、および２個のＲＯＭ（４入力２出力）により構成される。
【０１３５】
以上のように、図３の受信装置１０１は、図１の受信装置１と比較して、乗算回路の個数も、ＲＯＭの個数も少ない。従って、図３の受信装置１０１は、図１の受信装置１より回路規模を縮小させることができる。
【０１３６】
なお、以上の説明においては、説明を簡略化するために、ブランチ数を２つとしたが、勿論、３つ以上でも良い。
【０１３７】
この場合、等化制御回路１１２において、伝達関数（複素制御値）は、以下のようにして算出される。すなわち、第ｐ番目のＯＦＤＭ搬送波に対する、第ｋ番目のブランチの伝送路特性推定回路で推定した伝送路特性をＨｋ（ｐ）とし、第ｎ番目のブランチ１１１−ｎの伝達関数をＥｎ（ｐ）とするとき、伝達関数Ｅｎ（ｐ）は、次の式により算出される。
【０１３８】
【数２】
2004343587.tif 000004
【０１３９】
すなわち、式（８）は、各ブランチ１１に対する伝達関数（複素制御値）が、各ブランチ１１の伝送路特性の共役複素数を、全ブランチ１１の伝送路特性の絶対値の自乗和で割り算した値であることを表している。
【０１４０】
等化制御回路１１２は、式（８）により算出された伝達関数（複素制御値）を、第ｎ番目のブランチ、すなわちブランチ１１−ｎの等化回路１２１−ｎに供給する。
【０１４１】
次に、本発明を適用した受信装置のさらに異なる構成例を説明する。図６は、図１の受信装置１、および図３の受信装置１０１のいずれとも異なる受信装置２０１の構成例を表している。図６の受信装置２０１において、図１の受信装置１、および図３の受信装置１０１と同一の構成には、同一の符号を付してある。
【０１４２】
図６において、受信装置２０１は、ブランチ２１１−１および２１１−２の２つのブランチを有しており、各ブランチ２１１−１および２１１−２で受信したＯＦＤＭ信号を最大比合成する。なお、図６の例においては、説明を簡略化するため、ブランチの個数を２つとしているが、勿論、ブランチの個数は、３つ以上でも良い。
【０１４３】
放送局から、ブランチ２１１−１までの伝送信号を伝送信号Ａとし、放送局からブランチ２１１−２までの伝送信号を伝送信号Ｂとする。放送局から発信される信号は同一であるが、発信された信号は、異なる伝送経路を経由して、それぞれ受信アンテナ２１−１および２１−２に受信される。従って、伝送信号Ａと伝送信号Ｂは、異なる伝送路特性を有している。
【０１４４】
ブランチ２１１−１は、受信アンテナ２１−１、高周波回路２２−１、Ａ／Ｄ回路２３−１、直交復調回路２４−１、ＦＦＴ回路２５−１、伝送路特性推定回路２６−１、および等化回路２２１−１を含む。
【０１４５】
受信アンテナ２１−１は、伝送信号Ａを捕捉する。高周波回路２２−１は、受信アンテナ２１−１により捕捉された伝送信号Ａから、所要帯域の信号を抜き出し、抜き出された信号を所要レベルの電力に増幅し、増幅された信号をＡ／Ｄ回路２３−１に出力する。
【０１４６】
Ａ／Ｄ回路２３−１は、高周波回路２２−１から供給された信号を標本化および量子化し、直交復調回路２４−１に出力する。
【０１４７】
直交復調回路２４−１は、Ａ／Ｄ回路２３−１から供給された信号を直交復調し、直交復調された信号をＦＦＴ回路２５−１に出力する。なお、直交復調回路２４−１から出力される信号は、所謂、時間領域の信号である。
【０１４８】
ＦＦＴ回路２５−１は、直交復調回路２４−１から供給された時間領域の信号を周波数領域の信号に変換し、変換された周波数領域信号を伝送路特性推定回路２６−１および等化回路２２１−１に出力する。
【０１４９】
伝送路特性推定回路２６ー１は、ＦＦＴ回路２５−１から入力された周波数領域信号から、既知のパイロット信号を抽出して、伝送信号Ａが経由してきた伝送路の伝送路特性の推定値を算出し、算出された伝送路特性を等化回路２２１−１および正規化制御回路２１２に出力する。なお、以下の説明において、伝送信号Ａが経由してきた伝送路の伝送路特性をＨ１（ω）とする。
【０１５０】
等化回路２２１−１は、ＦＦＴ回路２５−１から供給された信号に対して、伝送路特性推定回路２６−１から供給される伝送路特性Ｈ１（ω）の共役複素数（以下、伝送路特性Ｈ１（ω）の共役複素数をＨ１＊（ω）とする）を複素演算して、ＦＦＴ回路２５−１の出力を等化し、等化後の信号を加算回路２１３に出力する。従って、図６の受信装置２０１においては、伝達関数Ｅ１（ω）＝Ｈ１＊（ω）となる。
【０１５１】
ブランチ２１１−２は、受信アンテナ２１−２、高周波回路２２−２、Ａ／Ｄ回路２３−２、直交復調回路２４−２、ＦＦＴ回路２５−２、伝送路特性推定回路２６−２、および等化回路２２１−２を含む。ブランチ２１１−２の内部の構成は、ブランチ２１１−１と同様である。
【０１５２】
すなわち、受信アンテナ２１−２は、伝送信号Ｂを捕捉する。高周波回路２２−２は、受信アンテナ２１−２により捕捉された伝送信号Ｂから、所要帯域の信号を抜き出し、抜き出された信号を所要レベルの電圧に増幅し、増幅された信号をＡ／Ｄ回路２３−２に出力する。
【０１５３】
Ａ／Ｄ回路２３−２は、高周波回路２２−２から供給された信号を標本化および量子化し、直交復調回路２４−２に出力する。
【０１５４】
直交復調回路２４−２は、Ａ／Ｄ回路２３−２から供給された信号を直交復調し、直交復調された信号をＦＦＴ回路２５−２に出力する。なお、直交復調回路２４−２から出力される信号は、所謂、時間領域の信号である。
【０１５５】
ＦＦＴ回路２５−２は、直交復調回路２４−２から供給された時間領域の信号を周波数領域の信号に変換し、変換された周波数領域信号を伝送路特性推定回路２６−２および等化回路２２１−２に出力する。
【０１５６】
伝送路特性推定回路２６−２は、ＦＦＴ回路２５−２から入力された周波数領域信号から、既知のパイロット信号を抽出して、伝送信号Ｂが経由してきた伝送路の伝送路特性の推定値を算出し、算出された伝送路特性を等化回路２２１−２および正規化制御回路２１２に出力する。なお、以下の説明において、伝送信号Ｂが経由してきた伝送路の伝送路特性をＨ２（ω）とする。
【０１５７】
等化回路２２１−２は、ＦＦＴ回路２５−２から供給された信号に対して、伝送路特性推定回路２６−２から供給される伝送路特性Ｈ２（ω）の共役複素数（以下、伝送路特性Ｈ２（ω）の共役複素数をＨ２＊（ω）とする）を複素演算して、ＦＦＴ回路２５−２の出力を等化し、等化後の信号を加算回路１１３に出力する。従って、図６の受信装置２０１においては、伝達関数Ｅ２（ω）＝Ｈ２＊（ω）となる。
【０１５８】
正規化制御回路２１２は、伝送路特性推定回路２６−１および２６−２から供給された伝送路特性Ｈ１（ω）およびＨ２（ω）に基づいて、正規化回路２１４の伝達関数Ｎ（ω）を発生し、発生した伝達関数Ｎ（ω）を正規化回路２１４に出力する。
【０１５９】
なお、伝達関数Ｎ（ω）は、以下の式により算出される。
【０１６０】
Ｎ（ω）＝１／｛｜Ｈ１（ω）｜２＋｜Ｈ２（ω）｜２｝      （９）
【０１６１】
なお、伝達関数Ｎ（ω）は、実関数である。
【０１６２】
また、受信アンテナ２１−１および２１−２により受信された伝送信号Ａおよび伝送信号Ｂは、それぞれ高周波回路２２−１および２２−２で所要帯域が抽出され増幅された後、Ａ／Ｄ回路２３−１および２３−２で標本化および量子化される。従って、Ａ／Ｄ回路２３−１から出力される信号は離散的な標本値ｓ１（ｐ）となり、Ａ／Ｄ回路２３−２から出力される信号は離散的な標本値ｓ２（ｐ）となる。よって、ＦＦＴ回路２５−１から出力される信号も勿論、離散値Ｓ１（ｐ）となり、ＦＦＴ回路２５−２から出力される信号も離散値Ｓ２（ｐ）となる。
【０１６３】
従って、伝送路特性推定回路２６−１から正規化制御回路２１２に供給される伝送路特性は離散値Ｈ１（ｐ）となり、伝送路特性推定回路２６−２から正規化制御回路２１２に供給される伝送路特定は離散値Ｈ２（ｐ）となる。
【０１６４】
すなわち、Ｈ１（ｐ）は、ブランチ２１１−１の伝送路特性推定回路２６−１から出力される、ｐ番目のＯＦＤＭ搬送波に対する伝送路特性を表し、Ｈ２（ｐ）は、ブランチ２１１−２の伝送路特性推定回路２６−２から出力される、ｐ番目のＯＦＤＭ搬送波に対する伝送路特性を表している。なお、Ｈ１（ｐ）およびＨ２（ｐ）は複素数である。
【０１６５】
従って、正規化制御回路２１２により算出される伝達関数（複素制御値）は、以下のようになる。
【０１６６】
Ｎ（ｐ）＝１／｛｜Ｈ１（ｐ）｜２＋｜Ｈ２（ｐ）｜２｝      （１０）
【０１６７】
加算回路２１３は、ブランチ２１１−１の等化回路２２１−１およびブランチ２１１−２の等化回路２２１−２から供給された信号を加算合成し、加算合成後の信号を正規化回路２１４に出力する。
【０１６８】
正規化回路２１４は、加算回路２１３から供給された値に対して、正規化制御回路２１２から供給された伝達関数Ｎ（ｐ）を乗算することにより、周波数毎の振幅を一定にする。ここで、図７を参照して、正規化回路２１４の内部構成について詳細に説明する。
【０１６９】
図７において、加算回路２１３からの出力は、実数部（同相軸（Ｉ軸））と虚数部（直交軸（Ｑ軸））により構成されている。正規化回路２１４は、実数乗算回路２３１および２３２を含んでいる。実数乗算回路２３１は、加算回路２１３から供給された実数部の値に対して、正規化制御回路２１２から供給された伝達関数Ｎ（ｐ）を乗算して、図示せぬ後段の回路に出力する。また、実数乗算回路２３２は、加算回路２１３から供給された虚数部の値に対して、正規化制御回路２１２から供給された伝達関数Ｎ（ｐ）を乗算して、図示せぬ後段の回路に出力する。
【０１７０】
図６のような回路構成としても、図３の回路構成と同様、回路規模を縮小することが可能となる。
【０１７１】
すなわち、図１の受信装置１と図６の受信装置２０１で異なる構成部分は、図１の受信装置１の等化回路２７−１，２７−２、重み補正回路２８−１，２８−２、および重み制御回路１２、並びに図６の受信装置２０１の等化回路２２１−１，２２１−２、正規化制御回路２１２、および正規化回路２１４である。
【０１７２】
図１の受信装置１において、等化回路２７−１，２７−２、重み補正回路２８−１，２８−２、および重み制御回路１２は、上述したように、全体で４個の加算回路、１２個の乗算回路、４個のＲＯＭ（２入力２出力のＲＯＭが２個、４入力１出力のＲＯＭが１個）により構成されている。
【０１７３】
それに対して、図６の受信装置２０１において、等化回路２２１−１，２２１−２は、それぞれ４個の乗算回路、および２個の加算回路により構成される。また、正規化制御回路２１２は、１個の正規化制御ＲＯＭ（４入力１出力）により構成される。また、正規化回路２１４は、２個の乗算回路により構成される。
【０１７４】
以上をまとめると、図６の受信装置２０１において、等化回路２２１−１，２２１−２、正規化制御回路２１２、および正規化回路２１４は、全体で４個の加算回路、１０個の乗算回路、および１個のＲＯＭ（４入力１出力）により構成される。
【０１７５】
以上のように、図６の受信装置２０１は、図１の受信装置１と比較して、乗算回路の個数も、ＲＯＭの個数も少ない。従って、図６の受信装置２０１は、図１の受信装置１より回路規模を縮小させることができる。
【０１７６】
次に、図８のフローチャートを参照して、図６の受信装置２０１の受信処理について説明する。
【０１７７】
ステップＳ３０１において、受信アンテナ２１−１および２１−２は、それぞれ伝送信号Ａおよび伝送信号Ｂを捕捉する。
【０１７８】
ステップＳ３０２において、高周波回路２２−１および２２−２は、ステップＳ３０１で受信アンテナ２１−１および２１−２により捕捉された伝送信号Ａおよび伝送信号Ｂから、それぞれ所要帯域の信号のみを抜き出し、所要レベルの電圧に増幅し、Ａ／Ｄ回路２３−１および２３−２に出力する。
【０１７９】
ステップＳ３０３において、Ａ／Ｄ回路２３−１および２３−２は、ステップＳ３０２で所要レベルの電圧に増幅された信号を標本化および量子化する。これにより、信号は、離散した標本値ｓ１（ｐ）およびｓ２（ｐ）となる。
【０１８０】
ステップＳ３０４において、直交復調回路２４−１および２４−２は、ステップＳ３０３でＡ／Ｄ回路２３−１および２３−２により量子化された信号を直交復調し、直交復調された信号をＦＴＴ回路２５−１および２５−２に出力する。
【０１８１】
ステップＳ３０５において、ＦＦＴ回路２５−１および２５−２は、ステップＳ３０４で直交復調回路２４−１および２４−２により直交復調された信号を時間領域信号から周波数領域信号に変換し、変換後の周波数領域信号を伝送路特性推定回路２６−１および２６−２、並びに等化回路２２１−１および２２１−２に出力する。
【０１８２】
ステップＳ３０６において、伝送路特性推定回路２６−１および２６−２は、ＦＴＴ回路２５−１および２５−２から供給された周波数領域信号から、既知のパイロット信号を抽出して、伝送信号Ａおよび伝送信号Ｂがそれぞれ経由してきた伝送路の伝送路特性Ｈ１（ｐ）およびＨ２（ｐ）を算出し、算出された伝送路特性を等化回路２２１−１および２２１−２、並びに等化制御回路１１２に出力する。なお、伝送路特性Ｈ１（ｐ）およびＨ２（ｐ）の算出方法は、既知のものを利用することができる。
【０１８３】
ステップＳ３０７において、等化回路２２１−１は、伝達関数（複素制御値）Ｅ１（ｐ）＝Ｈ１＊（ｐ）を算出し、この伝達関数（複素制御値）Ｅ１（ｐ）＝Ｈ１＊（ｐ）をＦＦＴ回路２５−１から供給された周波数領域信号Ｓ１（ｐ）に対して乗算することにより、ＦＴＴ回路２５−１の出力を等化し、乗算された値Ｓ１（ｐ）・Ｈ１＊（ｐ）を加算回路２１３に供給する。また、等化回路２２１−２は、伝達関数（複素制御値）Ｅ２（ｐ）＝Ｈ２＊（ｐ）を算出し、この伝達関数（複素制御値）Ｅ２（ｐ）＝Ｈ２＊（ｐ）をＦＦＴ回路２５−２から供給された周波数領域信号Ｓ２（ｐ）に対して乗算することにより、ＦＴＴ回路２５−２の出力を等化し、乗算された値Ｓ２（ｐ）・Ｈ２＊（ｐ）を加算回路２１３に供給する。
【０１８４】
ステップＳ３０８において、正規化制御回路２１２は、伝送路特性推定回路２６−１から供給された伝送路特性Ｈ１（ｐ）、および伝送路特性推定回路２６−２から供給された伝送路特性Ｈ２（ｐ）に基づいて、式（１０）により、正規化回路２１４の伝達関数Ｎ（ｐ）を算出し、算出された伝達関数Ｎ（ｐ）を正規化回路２１４に供給する。
【０１８５】
ステップＳ３０９において、加算回路２１３は、ステップＳ３０７で、等化回路２２１−１から供給された値Ｓ１（ｐ）・Ｈ１＊（ｐ）、および等化回路２２１−２から供給された値Ｓ２（ｐ）・Ｈ２＊（ｐ）を加算合成し、加算合成後の値｛Ｓ１（ｐ）・Ｈ１＊（ｐ）＋Ｓ２（ｐ）・Ｈ２＊（ｐ）｝を正規化回路２１４に供給する。
【０１８６】
ステップＳ３１０において、正規化回路２１４は、ステップＳ３０９で加算回路２１３から供給された値｛Ｓ１（ｐ）・Ｈ１＊（ｐ）＋Ｓ２（ｐ）・Ｈ２＊（ｐ）｝に対して、ステップＳ３０８で、正規化制御回路２１２から供給された伝達関数Ｎ（ｐ）＝１／｛｜Ｈ１（ｐ）｜２＋｜Ｈ２（ｐ）｜２｝を乗算し、乗算後の値｛Ｓ１（ｐ）・Ｈ１＊（ｐ）＋Ｓ２（ｐ）・Ｈ２＊（ｐ）｝  ／｛｜Ｈ１（ｐ）｜２＋｜Ｈ２（ｐ）｜２｝を、図示せぬ後段の回路に出力する。
【０１８７】
以上のようにして、受信処理が実行される。
【０１８８】
以上のように、本発明によれば、各ブランチ２１１−１および２１１−２のＦＦＴ回路２５−１および２５−２の出力に対して、各ブランチ２１１−１および２１１−２に対する伝送路特性Ｈ１（ｐ）およびＨ２（ｐ）に関連付けられた伝達関数を有する等化処理を行って、加算合成することにより、ＯＦＤＭキャリア毎に最大比で合成するダイバーシティ合成を可能にする。また、図６の受信装置２０１は、図３の受信装置１０１と同様、回路規模を縮小することができる。
【０１８９】
なお、図６の例においては、説明を簡単にするために、ブランチ数を２つとしたが、ブランチ数を３以上とすることでダイバーシティ効果をさらに向上させることが可能である。
【０１９０】
ブランチ数をＮ（Ｎ≧３）とした場合、第ｎ番目（ただし、１≦ｎ≦Ｎ）のブランチ１１−ｎの等化回路２７−ｎに対する伝達関数Ｅｎ（ω）、および正規化回路２１４の伝達関数Ｎ（ω）は、それぞれ次のようになる。
【０１９１】
Ｅｎ（ω）＝Ｈｎ＊（ω）
【０１９２】
【数３】
2004343587.tif 000005
【０１９３】
【発明の効果】
以上のように、第１の本発明によれば、ＯＦＤＭ信号を受信することができる。特に、ＯＦＤＭキャリア毎に最大比で合成するダイバーシティ合成が可能となる。従って、よりＯＦＤＭ信号の伝送の信頼性を向上させることが可能となる。
【０１９４】
第２の本発明によれば、ＯＦＤＭ信号を受信することができる。特に、ＯＦＤＭキャリア毎に最大比で合成するダイバーシティ合成が可能となる。従って、よりＯＦＤＭ信号の伝送の信頼性を向上させることが可能となる。さらに、回路規模を縮小することが可能となる。
【０１９５】
第３の本発明によれば、ＯＦＤＭ信号を受信することができる。特に、ＯＦＤＭキャリア毎に最大比で合成するダイバーシティ合成が可能となる。従って、よりＯＦＤＭ信号の伝送の信頼性を向上させることが可能となる。さらに、回路規模を縮小することが可能となる。
【図面の簡単な説明】
【図１】本発明を適用した受信装置の構成例を示すブロック図である。
【図２】図１の受信装置の受信処理を説明するフローチャートである。
【図３】本発明を適用した受信装置の構成例を示す他のブロック図である。
【図４】図３の等化回路の処理を説明する図である。
【図５】図３の受信装置の受信処理を説明するフローチャートである。
【図６】本発明を適用した受信装置の構成例を示す、さらに他のブロック図である。
【図７】図６の正規化回路の詳細な構成例を示すブロック図である。
【図８】図６の受信装置の受信処理を説明するフローチャートである。
【符号の説明】
１  受信装置，  １１−１，１１−２  ブランチ，  １２  重み制御回路，  １３  加算回路，  ２１−１，２１−２  受信アンテナ，  ２２−１，２２−２高周波回路，  ２３−１，２３−２  Ａ／Ｄ回路，  ２４−１，２４−２  直交復調回路，  ２５−１，２５−２  ＦＦＴ回路，  ２６−１，２６−２  伝送路特性推定回路，  ２７−１，２７−２  等化回路，  ２８−１，２８−２  重み補正回路，  １０１  受信装置，  １１１−１，１１１−２  ブランチ，  １１２等化制御回路，  １１３  加算回路，  １２１−１，１２１−２  等化回路，２０１  受信装置，  ２１１−１，２１１−２  ブランチ，  ２１２  正規化制御回路，  ２１４  正規化回路，  ２２１−１，２２１−２  等化回路，  ２３１，２３２  実数乗算回路
【図１】
2004343587.tif 000006
【図２】
2004343587.tif 000007
【図３】
2004343587.tif 000008
【図４】
2004343587.tif 000009
【図５】
2004343587.tif 000010
【図６】
2004343587.tif 000011
【図７】
2004343587.tif 000012
【図８】
2004343587.tif 000013